(57)【要約】【課題】電線の曲げ力に対する電線保持力を向上することができる電線用プロテクタを提供する。【解決手段】車両に配索される電線３が密着して挿通されるグロメット５と、このグロメット５の外周を圧縮して覆う一対の分割部材７，９からなる保持部材１１とを備えた電線用プロテクタ１において、一方の分割部材７に、保持部材１１の外周を巻回可能な帯状部材１３を設け、保持部材１１の外周に、帯状部材１３が挿通される挿通突起部１５を突設した。【選択図】図３
2014027866.tif 000002
【特許請求の範囲】
【請求項１】
車両に配索される電線が密着して挿通されるグロメットと、このグロメットの外周を圧縮して覆う一対の分割部材からなる保持部材とを備えた電線用プロテクタであって、
前記一対の分割部材のうちいずれか一方には、前記保持部材の外周を巻回可能な帯状部材が設けられ、前記保持部材の外周には、前記帯状部材が挿通される挿通突起部が突設されていることを特徴とする電線用プロテクタ。
【請求項２】
請求項１記載の電線用プロテクタであって、
前記挿通突起部は、前記電線の長さ方向に複数列配置されていることを特徴とする電線用プロテクタ。
【請求項３】
請求項２記載の電線用プロテクタであって、
前記帯状部材は、前記電線の長さ方向に複数列配置された複数本からなり、前記複数列配置された挿通突起部にそれぞれ挿通されることを特徴とする電線用プロテクタ。
【請求項４】
請求項２又は３記載の電線用プロテクタであって、
前記保持部材は、外周に前記車両に固定される固定部材が組付けられ、前記挿通突起部間には、前記固定部材に設けられた係止部に係止される被係止部が設けられていることを特徴とする電線用プロテクタ。
【請求項５】
請求項４記載の電線用プロテクタであって、
前記固定部材は、前記保持部材の一側面側に組付けられ前記車両に固定される固定部と、前記保持部材の他側面側に組付けられ前記保持部材の外周側で係合部を介して前記固定部に係合されるカバー部とを有し、
前記固定部と前記カバー部とのうちいずれか一方には、前記係止部が設けられ、前記固定部と前記カバー部とのうち他方には、前記挿通突起部間に挿入される凸部が設けられていることを特徴とする電線用プロテクタ。
【発明の詳細な説明】
【技術分野】
【０００１】
本発明は、車両に配索された電線を保持する電線用プロテクタに関する。
【背景技術】
【０００２】
従来、電線用プロテクタとしては、車両に配索される電線が挿通されるグロメットとしてのクランプ部材と、このクランプ部材の外周を覆う一対の分割部材としての受け部材及び蓋部材からなる保持部材とを備えたものが知られている（例えば、特許文献１参照）。
【０００３】
この電線用プロテクタでは、受け部材に設けられた一対の突条や側壁などからなる係合部にクランプ部材を嵌入させ、受け部材の開口を蓋部材によって閉塞して受け部材と蓋部材との両側面にそれぞれ形成されたロック爪とロック孔とを係合し、クランプ部材の外周に受け部材及び蓋部材を組付けている。
【先行技術文献】
【特許文献】
【０００４】
【特許文献１】特開２００１−６１２１９号公報
【発明の概要】
【発明が解決しようとする課題】
【０００５】
ところで、上記特許文献１のような電線用プロテクタでは、電線の車両への配索時などに電線が曲げられたとき、グロメットに押し広げる力が加わり、一対の分割部材にも押し広げる力が加わる。
【０００６】
しかしながら、上記特許文献１のような電線用プロテクタでは、一対の分割部材の係止が両側面に設けられたロック爪とロック孔との係合であるので、電線の曲げ力が一対の分割部材の上下面に加わった場合、電線とグロメットとの間に隙間ができ、電線保持力が低下する恐れがあった。このような電線保持力の低下は、電線用プロテクタの電線に対する保持位置の位置ズレを発生させる恐れがある。
【０００７】
そこで、この発明は、電線の曲げ力に対する電線保持力を向上することができる電線用プロテクタの提供を目的としている。
【課題を解決するための手段】
【０００８】
請求項１記載の発明は、車両に配索される電線が密着して挿通されるグロメットと、このグロメットの外周を圧縮して覆う一対の分割部材からなる保持部材とを備えた電線用プロテクタであって、前記一対の分割部材のうちいずれか一方には、前記保持部材の外周を巻回可能な帯状部材が設けられ、前記保持部材の外周には、前記帯状部材が挿通される挿通突起部が突設されていることを特徴とする。
【０００９】
この電線用プロテクタでは、一対の分割部材のうちいずれか一方に設けられた帯状部材が保持部材の外周に設けられた挿通突起部に挿通されるので、保持部材の外周に帯状部材が巻回されて一対の分割部材が係止された状態となる。
【００１０】
このため、電線の曲げ力がグロメットのどの方向に加わったとしても、一対の分割部材が開かれることがなく、電線とグロメットとの間に隙間が形成されず、電線保持力を向上することができる。
【００１１】
従って、このような電線用プロテクタでは、保持部材の外周を巻回可能な帯状部材と、帯状部材がそれぞれ挿通される挿通突起部とにより、電線の曲げ力に対する電線保持力を向上することができる。
【００１２】
請求項２記載の発明は、請求項１記載の電線用プロテクタであって、前記挿通突起部は、前記電線の長さ方向に複数列配置されていることを特徴とする。
【００１３】
この電線用プロテクタでは、挿通突起部が電線の長さ方向に複数列配置されているので、帯状部材が保持部材の外周を複数回巻回されるように各挿通突起部を挿通することにより、さらに電線保持力を向上することができる。
【００１４】
請求項３記載の発明は、請求項２記載の電線用プロテクタであって、前記帯状部材は、前記電線の長さ方向に複数列配置された複数本からなり、前記複数列配置された挿通突起部にそれぞれ挿通されることを特徴とする。
【００１５】
この電線用プロテクタでは、帯状部材が電線の長さ方向に複数列配置された複数本からなり、複数列配置された挿通突起部にそれぞれ挿通されるので、保持部材の電線の長さ方向の全域で高い保持力を得ることができ、さらに電線保持力を向上することができる。
【００１６】
請求項４記載の発明は、請求項２又は３記載の電線用プロテクタであって、前記保持部材は、外周に前記車両に固定される固定部材が組付けられ、前記挿通突起部間には、前記固定部材に設けられた係止部に係止される被係止部が設けられていることを特徴とする。
【００１７】
この電線用プロテクタでは、挿通突起部間に固定部材に設けられた係止部に係止される被係止部が設けられているので、保持部材と固定部材との係止を確実に行うことができ、電線用プロテクタを安定して車両に固定することができる。
【００１８】
請求項５記載の発明は、請求項４記載の電線用プロテクタであって、前記固定部材は、前記保持部材の一側面側に組付けられ前記車両に固定される固定部と、前記保持部材の他側面側に組付けられ前記保持部材の外周側で係合部を介して前記固定部に係合されるカバー部とを有し、前記固定部と前記カバー部とのうちいずれか一方には、前記係止部が設けられ、前記固定部と前記カバー部とのうち他方には、前記挿通突起部間に挿入される凸部が設けられていることを特徴とする。
【００１９】
この電線用プロテクタでは、固定部材が保持部材の一側面側に組付けられる固定部と、保持部材の他側面側に組付けられるカバー部とを有するので、保持部材が電線を保持した状態で、保持部材の両側面側からそれぞれ固定部とカバー部とを組付けることができ、組付性を向上することができる。
【００２０】
また、固定部とカバー部とのうちいずれか一方には、係止部が設けられ、固定部とカバー部とのうち他方には、挿通突起部間に挿入される凸部が設けられているので、固定部材が車両に固定された状態で、保持部材の電線の長さ方向への位置ズレを防止することができる。
【発明の効果】
【００２１】
本発明によれば、電線の曲げ力に対する電線保持力を向上することができる電線用プロテクタを提供することができるという効果を奏する。
【図面の簡単な説明】
【００２２】
【図１】本発明の実施の形態に係る電線用プロテクタの斜視図である。
【図２】本発明の実施の形態に係る電線用プロテクタの固定部材の配置位置を変更したときの一例を示す斜視図である。
【図３】図２のＸ−Ｘ断面図である。
【図４】本発明の実施の形態に係る電線用プロテクタの断面図である。
【図５】図２のＹ−Ｙ断面図である。
【図６】（ａ）は本発明の実施の形態に係る電線用プロテクタの一対の分割部材を展開したときの斜視図である。（ｂ）は本発明の実施の形態に係る電線用プロテクタの一対の分割部材を合わせたときの斜視図である。
【図７】（ａ）は本発明の実施の形態に係る電線用プロテクタの固定部材の固定部の斜視図である。（ｂ）は本発明の実施の形態に係る電線用プロテクタの固定部材のカバー部の斜視図である。
【発明を実施するための形態】
【００２３】
図１〜図７を用いて本発明の実施の形態に係る電線用プロテクタについて説明する。
【００２４】
本実施の形態に係る電線用プロテクタ１は、車両に配索される電線３が密着して挿通されるグロメット５と、このグロメット５の外周を圧縮して覆う一対の分割部材７，９からなる保持部材１１とを備えている。
【００２５】
そして、一方の分割部材７には、電線３の長さ方向に複数列配置され保持部材１１の外周を巻回可能な複数本の帯状部材１３が設けられ、保持部材１１の外周には、電線３の長さ方向に複数列配置され帯状部材１３がそれぞれ挿通される挿通突起部１５が突設されている。
【００２６】
また、保持部材１１は、外周に車両に固定される固定部材１７が組付けられ、挿通突起部１５，１５間には、固定部材１７に設けられた係止部１９に係止される被係止部２１が設けられている。
【００２７】
さらに、固定部材１７は、保持部材１１の一側面側に組付けられ車両に固定される固定部２３と、保持部材１１の他側面側に組付けられ保持部材１１の外周側で係合部２５を介して固定部２３に係合されるカバー部２７とを有し、固定部２３には、係止部１９が設けられ、カバー部２７には、挿通突起部１５，１５間に挿入される凸部２９が設けられている。
【００２８】
図１〜図７に示すように、電線３は、コネクタや機器などに接続部（不図示）を介して電気的に接続され、電源からコネクタや機器などへの電力供給、もしくは両端にコネクタが接続されて機器間の電気的接続などに適用される。
【００２９】
この電線３は、複数本（ここでは２本）がグロメット５と保持部材１１に保持されている。なお、保持部材１１が位置する電線３の長さ方向の両側外周には、蛇腹形状のコルゲートチューブ３１が配置されている。
【００３０】
グロメット５は、ゴムなどの弾性材料からなり、直方体形状に形成され、電線挿通部３３と、スリット３５とを備えている。電線挿通部３３は、グロメット５の中央部に電線３の長さ方向に貫通して設けられた複数（ここでは２つ）の孔部となっている。この電線挿通部３３は、スリット３５から電線３が配置され、電線３の外周に密着される。
【００３１】
スリット３５は、グロメット５の両側面に電線挿通部３３の長さ方向に沿って形成され、グロメット５を２分割している。このようなスリット３５で分割された一方のグロメット５に電線３を電線挿通部３３に配置させ、他方のグロメット５で閉塞することにより、例えば、電線３の両端にコネクタなどが接続されている場合であっても、電線３にグロメット５を装着することができる。なお、スリット３５は、グロメット５の片側側面に設けてグロメット５を上下方向に開閉可能としてもよく、この場合にはグロメット５の部品点数を削減することができる。
【００３２】
保持部材１１は、直方体形状に形成され、ヒンジを介して開閉可能に設けられた一対の分割部材７，９からなり、内部にグロメット５が収容される。なお、保持部材１１の分割としては、ヒンジを設けずに２つの分割部材７，９としてもよい。この保持部材１１は、グロメット５を収容した状態で、グロメット５の外周面を押圧して圧縮し、電線３とグロメット５との密着性を向上させる。このような保持部材１１の分割部材７には、複数本の帯状部材１３が設けられている。
【００３３】
帯状部材１３は、一端が分割部材７の側面に電線３の長さ方向に複数列（ここでは３列）配置されるように固定されている。また、それぞれの帯状部材１３は、一対の分割部材７，９を合わせた状態の保持部材１１の外周を巻回可能な長さを有する。この帯状部材１３は、保持部材１１の外周に設けられた挿通突起部１５にそれぞれ挿通される。
【００３４】
挿通突起部１５は、一対の分割部材７，９のそれぞれの外周面に電線３の長さ方向に複数列（ここでは３列）配置されるように突設されている。この挿通突起部１５に帯状部材１３の他端を挿通させることにより、図３の矢印で示すように、それぞれの帯状部材１３が分割部材７に対して分割部材９とグロメット５とを引きつけるように保持部材１１の外周に巻き付けられ、一対の分割部材７，９が係止された状態となる。この一対の分割部材７，９の係止状態では、帯状部材１３の分割部材７に対する分割部材９とグロメット５との引きつけにより、常にグロメット５が電線３に密着した状態となって、電線３が強固に保持されている。
【００３５】
このように保持部材１１の外周に複数の帯状部材１３を巻き付けることにより、電線３の曲げ力がグロメット５のどの方向に加わったとしても、一対の分割部材７，９が変形することがなく、電線３とグロメット５との間に隙間が形成されず、電線３の曲げ力に対する耐力を向上することができる。
【００３６】
このような挿通突起部１５，１５間には、リブなどの被係止部２１が複数（ここでは上下面にそれぞれ２つの計４つ）突設され、固定部材１７の固定部２３に設けられた係止部１９が係止されて、保持部材１１の外周に固定部材１７が組付けられる。
【００３７】
固定部材１７は、固定部２３と、カバー部２７とからなる。固定部２３は、断面コ字状に形成され、側面に車両側に固定されるＬ字状の鉄板ブラケットなどが一体に固定される。この固定部２３に固定された鉄板ブラケットは、固定部２３の側面から露出する部分が車両側に設けられた差込溝などからなる車両側固定部（不図示）に差し込まれ、固定部２３を介して保持部材１１が車両に固定される。
【００３８】
この固定部２３の内周面には、保持部材１１の被係止部２１を係止する複数（ここでは上下面にそれぞれ４つの計８つ）の係止部１９が設けられている。このような固定部２３は、保持部材１１の一側面側から外周に組付けられ、所定の組付位置で係止部１９が被係止部２１を係止し、その組付位置がカバー部２７によって保持される。
【００３９】
カバー部２７は、固定部２３と逆向きの断面コ字状に形成され、内周面に挿通突起部１５，１５間に挿入される複数（ここでは上下面にそれぞれ４つの計８つ）の凸部２９が設けられている。この凸部２９は、カバー部２７の保持部材１１への組付方向（電線３の長さ方向と直交する方向）に沿って延設された複数のリブとなっている。このため、挿通突起部１５，１５間と凸部２９との係合は、凹凸係合となり、車両の振動などによる保持部材１１の固定部材１７に対する配置位置の横ズレを防止することができる。
【００４０】
ここで、カバー部２７は、凸部２９が挿入される挿通突起部１５，１５間の挿入位置を変更することにより、例えば、図２に示すように、保持部材１１に対する配置位置を変更することができる。このため、例えば、保持部材１１、固定部材１７、車両側固定部などに製造のバラツキが生じて車両側固定部と固定部材１７との配置位置が異なったとしても、固定部材１７の保持部材１１に対する配置位置を変更することで、その製造のバラツキを吸収し、固定部材１７を車両側固定部に固定することができる。
【００４１】
このようなカバー部２７は、固定部２３と反対側の側面である他側面側から凸部２９を挿通突起部１５，１５間に挿入して保持部材１１の外周に組付けられ、保持部材１１の外周で係合部２５を介して固定部２３を係止する。
【００４２】
係合部２５は、固定部２３の上下面に設けられた係合凸部と、カバー部２７の上下面に設けられ係合凸部が係止される係合凹部とからなる。この係合部２５を介して固定部２３にカバー部２７を係止することにより、固定部２３の保持部材１１からの脱落が防止される。
【００４３】
このような電線用プロテクタ１では、一対の分割部材７に設けられた複数本の帯状部材１３が保持部材１１の外周に設けられた挿通突起部１５にそれぞれ挿通されるので、保持部材１１の外周に複数本の帯状部材１３が巻回されて一対の分割部材７，９が係止された状態となる。
【００４４】
このため、電線３の曲げ力がグロメット５のどの方向に加わったとしても、一対の分割部材７，９が開かれることがなく、電線３とグロメット５との間に隙間が形成されず、電線保持力を向上することができる。
【００４５】
従って、このような電線用プロテクタ１では、保持部材１１の外周を巻回可能な複数本の帯状部材１３と、帯状部材１３がそれぞれ挿通される挿通突起部１５とにより、電線３の曲げ力に対する電線保持力を向上することができる。
【００４６】
また、挿通突起部１５，１５間には、固定部材１７に設けられた係止部１９に係止される被係止部２１が設けられているので、保持部材１１と固定部材１７との係止を確実に行うことができ、電線用プロテクタ１を安定して車両に固定することができる。
【００４７】
さらに、固定部材１７は、保持部材１１の一側面側に組付けられる固定部２３と、保持部材１１の他側面側に組付けられるカバー部２７とを有するので、保持部材１１が電線３を保持した状態で、保持部材１１の両側面側からそれぞれ固定部２３とカバー部２７とを組付けることができ、組付性を向上することができる。
【００４８】
また、固定部２３には、係止部１９が設けられ、カバー部２７には、挿通突起部１５，１５間に挿入される凸部２９が設けられているので、固定部材１７が車両に固定された状態で、保持部材１１の電線３の長さ方向への位置ズレを防止することができる。
【００４９】
なお、本発明の実施の形態に係る電線用プロテクタでは、係止部が固定部に設けられ、凸部がカバー部に設けられているが、これに限らず、係止部をカバー部に設け、凸部を固定部に設けてもよい。
【００５０】
また、固定部材は、固定部とカバー部とに分割されているが、必ずしも分割させる必要はなく、例えば、固定部とカバー部との係合部の反対側をヒンジなどを介して連結させてもよい。
【００５１】
さらに、帯状部材は、保持部材に電線の長さ方向に複数列配置された複数本からなっているが、これに限らず、１本であってもよい。この場合には、例えば、１本の帯状部材の幅を保持部材の長さと同等、或いは僅かに小さく設定し、この帯状部材が挿通される挿通突起部を保持部材の外周に１箇所設け、帯状部材を挿通突起部を挿通するように保持部材の外周に巻回させればよい。
【００５２】
この他の例としては、例えば、１本の帯状部材の長さを保持部材の外周を複数回巻回可能な長さに設定し、この帯状部材が挿通される挿通突起部を保持部材の外周に複数箇所設け、帯状部材の一端部を保持部材の外周の端部に固定し、他端部を複数の挿通突起部を挿通するように保持部材の外周に巻回させてもよい。
【符号の説明】
【００５３】
１…電線用プロテクタ
３…電線
５…グロメット
７，９…一対の分割部材
１１…保持部材
１３…帯状部材
１５…挿通突起部
１７…固定部材
１９…係止部
２１…被係止部
２３…固定部
２５…係合部
２７…カバー部
２９…凸部
【図１】
2014027866.tif 000003
【図２】
2014027866.tif 000004
【図３】
2014027866.tif 000005
【図４】
2014027866.tif 000006
【図５】
2014027866.tif 000007
【図６】
2014027866.tif 000008
【図７】
2014027866.tif 000009